(57)【特許請求の範囲】
【請求項１】
自重のような非動力式自閉手段によって自動的に閉じ得る引き戸式の扉と、
前記扉を開いた状態に保持できかつある程度の力を掛けると閉じることができる係合可能状態と開き状態に保持し得ない係合解除状態とに切り換え自在なラッチ手段と、
扉の正面視で左右方向に移動することによって前記ラッチ手段を係合可能状態と係合解除状態とに切り換える連動部材と、
通電するとロッドが作動して前記連動部材を一方方向に移動させて前記ラッチ手段を係合可能状態から係合解除状態に切り換える第１電磁ソレノイドと、
通電するとロッドが作動して前記連動部材を他方方向に移動させてラッチ手段を係合不能状態から係合可能状態に戻す第２電磁ソレノイドとを備えており、
前記扉はレール装置を介して支持体に吊支されている一方、
前記両電磁ソレノイドと連動部材とは前記支持体に配置されており、両電磁ソレノイドのロッドはそれぞれ連動部材の移動方向と同じ左右方向に延びており、更に、前記両電磁ソレノイドへの通電と扉の外側からの指令によって短時間だけ行われる自閉式扉装置であって、
前記第１電磁ソレノイドは、通電を解除するとロッドを元の状態に戻すばねを備えており、両電磁ソレノイドと連動部材とは、第１電磁ソレノイドに通電すると当該第１電磁ソレノイドのロッドによって連動部材が移動し、第１電磁ソレノイドのロッドがばねで戻り移動しても連動部材は戻ることなく停止したままで、第２電磁ソレノイドに通電すると当該第２電磁ソレノイドのロッドによって連動部材が戻り移動する関係になっている、
自閉式扉装置。
【請求項２】
前記第２電磁ソレノイドはロッドを付勢するばねを備えておらず、このため第２電磁ソレノイドのロッドは非通電状態で自在に摺動させ得るようになっており、この第２電磁ソレノイドのロッドと前記連動部材とは一体に移動するように係合している、
請求項１に記載した自閉式扉装置。
【発明の詳細な説明】
【０００１】
【発明の属する技術分野】
本発明は、引き戸式等の自閉式扉装置に関するものである。
【０００２】
【従来の技術】
引き戸式の自閉式扉装置は、一般に、扉が吊懸けられているレールを水平線に対して若干の角度だけ傾斜させることにより、扉が自重によって自動的に閉じる構造になっている（例えば特開平９−２３５９３８号公報参照）。
【０００３】
また、自閉式扉装置においては、扉を開き切ると、その開き動によって扉を開いた状態に自動的に保持し、ある程度の力を掛けて引くと扉を閉じることができるラッチ手段を設けることも行われている。
【０００４】
ところで、扉は火災に際して煙や炎を遮断する役割も果たしており、したがって、火災に際して扉は閉まっている必要がある（なお、防火扉の場合は、火災報知機からの信号に基づいて自動的に閉まる構成とすることが法令で義務付けられている）。
【０００５】
しかし、自閉式扉装置において、扉を開いた状態に保持するラッチ手段を設けた場合、火災に際して扉が開いたままとなるため、防災上好ましくない。
【０００６】
この点については、ラッチ手段を、扉を開いた状態に保持し得る係合可能姿勢と、扉を開いても開き状態に保持し得ない係合解除状態とに切り換え自在な構成として、火災報知機からの信号に基づいて作動する電磁ソレノイド式の解除装置により、ラッチ手段を係合可能状態から係合解除状態に切り換えることも行われている。
【０００７】
そして、解除装置において電磁ソレノイドには極く僅かの時間しか通電されず、電磁ソレノイドへの通電によってラッチ手段が係合解除状態に変わると、電磁ソレノイドが非通電状態に戻っても、ラッチ手段は係合解除状態のままとなるように設定している。これは、火災によって電磁ソレノイドが損傷しても、ラッチ手段を常に係合解除状態に保持するため、及び、火災によってコードが損傷することによる漏電の危険を防止するためである。
【０００８】
【発明が解決しようとする課題】
前記のように構成すると、ラッチ手段によって扉が開いた状態に保持されていても、火災報知機が煙や熱を感知すると扉は自重等によって自動的に閉じるため、煙や炎、或いは熱を遮断して防災機能を向上することができる。
【０００９】
ところで、引き戸式の自閉式扉装置の場合、扉を吊懸けているレール装置、ラッチ手段や解除装置は、着脱自在なカバーで覆われていたり、或いは、出入口の上方に配置した表裏ランマパネルの間の空間に内蔵されていたりしており、いずれにしても外部からは隠れているのが一般的である。
【００１０】
他方、解除装置を設けた場合、火災時に確実に作動するか否かを確認するため、定期的に又は必要に応じて保守・点検する必要がある。その場合、火災報知機が作動した場合と同じ信号を発することによって解除装置が正しく作動するか否かを確認し、解除装置が正確に作動することを確認してから、ラッチ手段を元の係合可能状態に戻すことになる。
【００１１】
その場合、従来は、ラッチ手段を係合可能状態に戻す操作は、ラッチ装置に設けたレバーを人手で操作することによって行うようにしている。しかし、前記したとおり、ラッチ手段はカバー又はランマパネルで覆われているため、ラッチ手段を係合可能状態に戻してリセットするためにカバー又はランマパネルを一々取り外さなくてはならず、このため、保守・点検後のリセット作業が頗る厄介であった。
【００１２】
特に、美感や構造の簡単化の点から戸袋パネルをねじで固定した非着脱式とすることがあるが、この場合には、保守・点検後のリセット作業は大工事となって、多大の手間と費用がかかることになる。
【００１３】
また、火災報知機の誤作動によって各自閉式扉装置の解除装置が作動してしまった場合や、火災報知機は煙を感知して正確に作動したが大事に至らなかった場合にも、いちいちカバーやランマパネルを取り外してラッチ手段を手作業によって係合可能状態に戻すリセット作業を行わねばならず、その作業が多大の手間がかかっていた。
【００１４】
本発明は、これらの不具合を解消した自閉式扉装置とその制御システムを提供することを目的とするものである。
【００１５】
【課題を解決するための手段】
本発明の自閉式扉装置は、自重のような非動力式自閉手段によって自動的に閉じ得る引き戸式の扉と、前記扉を開いた状態に保持できかつある程度の力を掛けると閉じることができる係合可能状態と開き状態に保持し得ない係合解除状態とに切り換え自在なラッチ手段と、扉の正面視で左右方向に移動することによって前記ラッチ手段を係合可能状態と係合解除状態とに切り換える連動部材と、通電するとロッドが作動して前記連動部材を一方方向に移動させて前記ラッチ手段を係合可能状態から係合解除状態に切り換える第１電磁ソレノイドと、通電するとロッドが作動して前記連動部材を他方方向に移動させてラッチ手段を係合不能状態から係合可能状態に戻す第２電磁ソレノイドとを備えており、前記扉はレール装置を介して支持体に吊支されている一方、前記両電磁ソレノイドと連動部材とは前記支持体に配置されており、両電磁ソレノイドのロッドはそれぞれ連動部材の移動方向と同じ左右方向に延びており、更に、前記両電磁ソレノイドへの通電と扉の外側からの指令によって短時間だけ行われる。
【００１６】
そして、前記第１電磁ソレノイドは、通電を解除するとロッドを元の状態に戻すばねを備えており、両電磁ソレノイドと連動部材とは、第１電磁ソレノイドに通電すると当該第１電磁ソレノイドのロッドによって連動部材が移動し、第１電磁ソレノイドのロッドがばねで戻り移動しても連動部材は戻ることなく停止したままで、第２電磁ソレノイドに通電すると当該第２電磁ソレノイドのロッドによって連動部材が戻り移動する関係になっている。
【００１７】
請求項２の発明は、請求項１において、前記第２電磁ソレノイドはロッドを付勢するばねを備えておらず、このため第２電磁ソレノイドのロッドは非通電状態で自在に摺動させ得るようになっており、この第２電磁ソレノイドのロッドと前記連動部材とは一体に移動するように係合している。
【００１８】
ラッチ手段を係合可能状態と係合解除状態に切り換える手段としては、例えば、扉の近傍の壁又は扉自身等の適当な場所に切り換えスイッチ（ボタン）を設け、この切り換えスイッチを押すことにより、平常時においても、係合可能状態と係合解除状態とを選択できるようにしても良い。
【００１９】
第２電磁ソレノイドは、火災報知機等の信号に基づいて自動的に操作しても良いし、人が手動操作しても良い。また、「扉の外側からの指令」とは、ラッチ手段等を覆っているカバー類を一々外さなくても操作できるという意味であり、従って、操作する指令（指示）手段は、扉から離れた場所にあっても良いし、個別に操作する場合は、扉自身又は扉の近傍に設けても良い。
【００２０】
【発明の作用・効果】
本発明によると、第１電磁ソレノイドによって係合解除状態になったラッチ手段を係合可能状態に戻す第２電磁ソレノイドは、扉の外側から操作しうるため、ラッチ手段がカバーやランマパネルで覆われていても、保守・点検後や誤作動又は正常作動後にラッチ手段を係合可能状態に戻すに際して、いちいちカバーやランマパネルを取り外す必要はない。
【００２１】
従って、保守・点検の後、或いは誤作動又は正常作動した後にラッチ手段を係合可能状態に戻すリセット作業を、簡単に行うことができる。特に、複数の自閉式扉装置における第２電磁ソレノイドを遠隔的かつ集中的に作動させると、前記リセット作業を手間なく極めて簡単に行うことができる。
【００２２】
また、リセット作業に際して欄間パネルや戸袋パネルを取り外す必要はないため、戸袋パネルを固定的に設けた引き戸装置についても、火災等によって扉が自動的に閉じる機構を適用できる利点も有する。
【００２３】
【発明の実施形態】
次に、本発明の実施形態を図面に基づいて説明する。
【００２４】
(1).第１実施形態（図１〜図17）
図１〜図１７では第１実施形態を示している。図１の斜視図で全体の外観を示している。
【００２５】
≪全体の概要≫
本実施形態は、壁Ｗの外面に沿って扉１が移動する外付けタイプに適用しており、また、２枚の扉１が互いに反対方向に開くように構成されている。扉装置はは、扉１と、その上部を部分的に覆うカバー２とを備えている。
【００２６】
図２は一部を破断した正面図、図３のうち（Ａ）は図２の IIIA-IIIA視断面図、（Ｂ）は図２の IIIB-IIIB視断面図、図４は図２のIV−IV視断面図であり、これらの図に示すように、建物の壁Ｗは、桟部材３の表裏両面に断熱ボード４を張った構造になっており（コンクリート壁等の他の構造でも良い）、出入口５の上方の壁面に、水平方向に長く伸びる金属板製の支持体６をねじ止めによって固定している。
【００２７】
前記支持体６は、その上部と下部とを除いた部位が前向きに突出するように凸型に形成されており、その突出部の前面に、図４に示すように、サスペンションレール装置７の固定レール８をねじ止めによって固定している。固定レール８には、可動レール９がボール１０及びリテーナ１１を介して取付けられいており、可動レール９にランナー１２を固着し、ランナー１２に扉１を吊支している。
【００２８】
固定レール８は、扉１の開き方向にむかって高さが徐々に高くなるように配置されており、このため、扉１を開くと自重によって自動的に閉じうる。
【００２９】
図２に示すように、支持体６のうち出入口５の上方の部位には閉止緩衝用のエアシリンダ（ショックアブソーバ）１３を配置している一方、前記ランナー１２の上部でかつ後部に第１ブラケット１４をねじで固定し、この第１ブラケット１４に、エアシリンダ１３のピストンに当たる緩衝用ストッパ１５を設けている。
【００３０】
図３及び図４に示すように、支持体６の上端には上向きに開口した鉤状の上係合部６ａが形成されており、この上係合部６ａに、カバー２の上端縁に形成した鉤状部２ａを嵌め込んでいる。また、支持体６の左右両端部に、カバー２の下端部が重なる金属板製のスペーサ１６を固着し、このスペーサ１６の下端に形成した下向き延出部１６ａに、カバー２の下端縁に形成した上向き開口の溝状部２ｂを下方から嵌め込んでいる。
【００３１】
図３に一点鎖線で示すように、カバー２を取付けるに当たっては、カバー２を側面視でやや斜めにした姿勢にして、先ず、溝状部２ｂをスペーサ１６の下向き延出部１６ａに嵌め込み、次いで、弾性に抗して変形させることによって鉤状部２ａを支持体６の上係合部６ａに嵌め込み、それから、ねじ１７でカバー２の上端部を支持体６に固定している。なお、カバー２の形状や固定手段は必要に応じて変更できることはいうまでもない。
【００３２】
図３（Ａ）に示すように、扉１の下端には左右長手の溝１８が空いており、この溝１８に、出入口５の近傍の床に設けた振れ止めローラ１９に嵌め入れている。
【００３３】
図３に簡単に示すように、前記第１ブラケット１４のうちストッパー１５と反対側の部位には、ラッチ手段の一環を成す係止ローラ２１を設けている（他の係止手段でも良い）。そして、支持体６のうち出入口５と反対側の端部に、第２ブラケット２２を介して下向き開口のケース２３を設け、このケース２３に、ラッチ手段の中枢部や解除手段を構成する部材を内蔵し、更に、支持体６の端部に、復帰手段を構成する部材を配置している。この点を、図５〜図１４に基づいて説明する。
【００３４】
≪ラッチ手段≫
図５はラッチ手段等の一部破断正面図（この図ではケース２３を破断して示している）、図６のうち（Ａ）は図５のVIＡ−VIＡ視断面図、（Ｂ）は図５のVIＢ−VIＢ視断面図、図７は図５の VII-VII視断面図、図８は図７のVIII−VIII視部分図、図９図はラッチ爪の作動状態を示す部分正面図、図１０は図５の X-X視断面図、図１１は図５のXI−XI視断面図、図１２は図５のXII-XII 視断面図、図１３及び図１４は作用を示す図である。
【００３５】
ラッチ手段は、前記係止ローラ２１に対する係合部材の一例として、ケース２３のうち出入口５寄りの端部において左右方向に延びるように配置されたラッチ爪２４を備えている。このラッチ爪２４は、出入口５寄りの端部を中心に上下回動するようにピン２５でケース２３に取付けられている。図８に示すように、第１ピン２５には、横ずれを防止するためのカラー２６を嵌め込んでいる。
【００３６】
ケース２３には、ラッチ爪２４の上下回動範囲を規制する下ストッパー２７と上ストッパー２８とが設けられており、更に、ラッチ爪２４は第１ばね２９で上向きに引っ張り付勢されている。ラッチ爪２４の先端寄りの下端には、前記係止ローラ２１が当たる下向き山形の爪部２４ａが形成されている。従って、扉１を開閉動させると、係止ローラ２１で押されてラッチ爪２４は上下回動し得る。
【００３７】
例えば図５や図７に示すように、ケース２３の内部のうちラッチ爪２４の先端部の近傍には、側顔面下向き開口コ字状の第３ブラケット３０が固着されており、この第３ブラケット３０の内部に、前記ラッチ爪２４を下向きに付勢する第２ばね３１を配置している。
【００３８】
第２ばね３１は圧縮コイルばねであり、上方からは上ばね受け３２が嵌まり、下方からは下ばね受け３３が嵌まっている。上ばね受け３２は、当該上ばね受け３２を中心にして第２ばね３１が左右方向に回動し得るように上端部において第２ピン３４で第３ブラケット３０に取付けられている。他方、下ばね受け３３の下端は正面視円弧状に形成されていて、当該円弧状の下端を、ラッチ爪２４における先端寄り部に形成した凹所２４ｂに当接させている。
【００３９】
従って、ラッチ爪２４は第２ばね３１で下向きに付勢されている。この場合、第２ばね３１のばね力は第１ばね２９のばね力よりも強く設定している。また、下ばね受け３３がラッチ爪２４の凹所２４ｂに当接した状態で、正面視において第２ばね３１の軸線がラッチ爪２４の上面と鈍角を成すように設定している。
【００４０】
下ばね受け３３には前後方向に延びる第３ピン３５が貫通している。この場合、図８及び図８に示すように、第３ピン３５が貫通する穴を、正面視において第２ばね３１の軸線方向に延びる傾斜ガイド穴３６と、これに連通した状態で外向きに延びる水平ガイド穴３７とで構成している。
【００４１】
従って、図９に示すように、第３ピン３５が傾斜ガイド穴３６に沿って往復動することにより、第２ばね３１の伸縮が許容され、その結果、ラッチ爪２４の回動が許容されて、係止ローラ２１がラッチ爪２４の爪部２４ａを挟んだ両側に移動することが許容される。
【００４２】
また、第３ピン３５が水平ガイド穴３７に沿って水平移動すると、下ばね受け３３がラッチ爪２４から離反して、ラッチ爪２４は第１ばね２９の引っ張り力によって上向きに回動する。この場合、図９に一点鎖線で示すように、ラッチ爪２４が上ストッパー２８に当接するまで回動し切ると、爪部２４ａと係止ローラ２１との間に隙間が空き、その結果、開き状態に保持されていた扉１は自重によって自閉する。
【００４３】
ケース２３にはラッチ爪２４の上向き回動を検知する第２リミットスイッチ（マイクロスイッチ）ＬＳ２を設けている。この場合、図９に示すように、第２リミットスイッチＬＳ２は、係止ローラ２１によってラッチ爪２４が上向き回動した状態では作動せず、第２ばね３１がラッチ爪２４から離反してラッチ爪２４が第１ばね２９によって上向き回動し切ると作動するように設定している。これは、通常の扉１の開閉によって第２リミットスイッチＬＳ２が作動することを防止するためである。
【００４４】
また、図１４から容易に推測できるように、ラッチ爪２４が上限まで回動した状態で、当該ラッチ爪２４の先端部が下ばね受け３３の中心よりも下方に位置するように、ラッチ爪２４の先端部の上面を傾斜面２４ｃとしている。従って、ラッチ爪２４が上限まで回動した状態で、第３ピン３５が傾斜ガイド穴３６に向けて戻り移動すると、下ばね受け３３がラッチ爪２４の傾斜面２４ｃに当接し、このため、ラッチ爪２４が第１ばね２９に抗して下向き回動する。
【００４５】
≪解除手段≫
ケース２３の内部には、解除手段を構成する部材として、連動部材３９が配置されている。連動部材３９は、前記第３ブラケット３０を前後から挟む側板３０ａを備えており、側板３０ａには、前記第３ピン３５が貫通する逃がし穴４０が空いている。逃がし穴４０は、前記第３ピン３５が傾斜ガイド穴３６に沿って上下動することを許容する横幅及び上下寸法に設定されている。
【００４６】
図１０や図１１に示すように、連動部材３９のうちラッチ爪２４を囲った部分を除いた部分は断面下向き開口コ字状に形成されており、また、連動部材３９はケース２３の外側に突出するように左右方向に長く延びている。そして、連動部材３９の左右側板３９ａに開けた左右長手のガイド穴４１に、ケース２３に装架した２本のガイドバー４２を貫通させている。従って、連動部材３９は、その姿勢を変えることなく、ガイドバー４２にガイドされて左右動し得る。なお、連動部材３９は他のガイド手段で左右動をガイドしても良い。
【００４７】
連動部材３９のうち第３ピン３５と反対側の端部には、下向きに延びる係止片３９ｂを設けている。
【００４８】
言うまでもないが、連動部材３９の左右動ストロークは、前記第３ピン３５の左右動ストロークと同じかまたは大きい寸法に設定している。
【００４９】
ケース２３の内部のうち連動部材３９の上方には、解除手段の構成部材として、左右方向に延びるロッド（可動鉄心）４４を備えた第１電磁ソレノイド４３が固着されている。そして前記連動部材３９に設けた上向き片３９ｃに第１電磁ソレノイド４３のロッド４４を貫通し、ロッド４４に、抜け止めのための頭４４ａを設けている。
【００５０】
従って、図１４に示すように、第１電磁ソレノイド４３に通電すると連動部材３９が後退動し、これに連動して第２ばね３１がラッチ爪２４から逃げる方向に回動し、すると、ラッチ爪２４は第１ばね２９によって上向きに回動し、これにより、ラッチ爪２４は係止ローラ２１に係合し得ない係合解除状態（フリー状態）になる。すると、扉１が開き状態に保持されていても、扉１は自重によって自動的に閉じる。
【００５１】
第１電磁ソレノイド４３のロッド４４は内蔵したばねによって前進方向に付勢されており、通電すると、ばねに抗してロッド４４が後退動する。通電を解除するとロッド４４はばねによって前進する。この場合、ロッド４４は連動部材３９の上向き片３９ｃに摺動自在に貫通しているため、いったん後退した後は、連動部材３９は停止した状態で、ロッド４４だけが前進する。
【００５２】
本実施形態では、第１電磁ソレノイド４３に通電するとロッド４４が反対側から突出するように構成しており、ケース２３の内部に、第１電磁ソレノイド４３のロッド４４が後退動することを検知する第１リミットスイッチＬＳ１が設けられている。なお、各リミットスイッチＬＳ１，ＬＳ２に代えて、光電式や反射式等の他のセンサーを設けても良い。
【００５３】
≪復帰手段≫
図５，図１２，図１４等に示すように、第１電磁ソレノイド４３の下方の部位には、復帰手段を構成する部材として、第１電磁ソレノイド４３と同じ方向に延びるロッド４５を備えた第２電磁ソレノイド４５が配置されている。第２電磁ソレノイド４５は、第４ブラケット４７を介して支持体６に取付けられている。
【００５４】
また、第２電磁ソレノイド４５のロッド４６は外側に露出しており、このロッド４６の露出端部に、前記連動部材３９に向けて延びるブラケット４８をねじ止め等で固着している。図１２に示すように、第２電磁ソレノイド４５のロッド４６と連動部材３９とが前後にずれていることから、ブラケット４８は側面視で傾斜した姿勢になっている。そして、ブラケット４８には、連動部材３９の係止片３９ｂに嵌合する係合溝４９を切欠き形成している。
【００５５】
なお、連動部材３９とブラケット４８とは他の係合手段で係合させても良いし、ねじ等によって固定しても良い。
【００５６】
第２電磁ソレノイド４５にはばねは内蔵されておらず、ロッド４６は自在に摺動させ得る。このため、連動部材３９が後退動すると、ブラケット４８は抵抗なく連動部材３９と一緒に外側に移動する。そして、第２電磁ソレノイド４５に通電すると、突出していたロッド４６は後退動し、これにより、連動部材３９とブラケット４８は共に図５において左方向に移動する。
【００５７】
≪システムの概要≫
図１５は建物内での扉装置群の制御態様を示すごく大雑把なブロック図であり、この図に示すように、病院等の建物内には上記した構成の多数の扉装置Ｄ１〜Ｄｎが設けられており、これら各扉装置Ｄ１〜Ｄｎの各電磁ソレノイド４３，４５やリミットスイッチＬＳ１，ＬＳ２は信号線（無線でも良い）でセンターと結ばれている（図１５〜１７では、第１電磁ソレノイド４３はＳＯＬ１と、第２電磁ソレノイド４５はＳＯＬ２と略している）。
【００５８】
センターは、防災の管理や処理を司る部局であり、一般には、建物内に設置される。また、センターは、建物内に設けた火災報知機Ｆ１〜Ｆｍと信号線で結ばれている。ここでは省略しているが、センターには、信号を処理するコンピュータ装置やディスプレイなどの安全管理装置類が設置されている。また、センターは、スプリンクラーや室内スピーカとも結ばれている。
【００５９】
図１６では各電磁ソレノイド４３，４５の作動とリミットスイッチＬＳ１，ＬＳ２のＯＮ・ＯＦＦとの関係を示している。本実施形態では、第１電磁ソレノイド４３と第１リミットスイッチＬＳ１との信号線を共有しており、このため、第１電磁ソレノイド４３に通電があると、リセット信号があるまでは、第１リミットスイッチＬＳ１はＯＦＦの状態になるように設定している。
【００６０】
両電磁ソレノイド４３，４５には、ＯＮしてから例えば１００ミリ秒程度の短時間だけ通電するように設定している。
【００６１】
≪制御態様≫
次に、各扉装置がどのように作動するかを、図１７のフローチャートに基づいて説明する。
【００６２】
まず、平常時には、両電磁ソレノイド４３，４５（ＳＯＬ１，ＳＯＬ２）ともＯＦＦで、第１リミットスイッチＬＳ１はＯＮ、第２リミットスイッチＬＳ２はＯＦＦの係合可能状態になっている。この状態では、ラッチ爪２４は第２ばね３１で下向きに付勢されており、このため、扉１を開き切ると、当該扉１は開き状態に保持される。
【００６３】
そして、建物内のいずれかの火災報知機が煙や熱等を感知してその検知信号をセンターが受信すると、自動的に又は手動によって各扉装置Ｄ１〜Ｄｎに作動信号が発せられ、各扉装置Ｄ１〜Ｄｎの第１電磁ソレノイド４３（ＳＯＬ１）に瞬間的に通電されて、第２ばね３１がラッチ爪２４から離脱することにより、各ラッチ爪２４が係止ローラ２１に当接し得る係合解除状態（フリー状態）になる。
【００６４】
そして、第１電磁ソレノイド４３（ＳＯＬ１）は通電解除によってそのロッド４４が前進動するが、連動部材３９は移動しないため、ラッチ爪群は係合解除状態が保持され、その結果、開いていた各扉１は自動的に閉じる。そして、この扉１の閉じ作動を、両リミットスイッチＬＳ１，ＬＳ２のＯＦＦ・ＯＮの信号の組み合わせによって確認し、扉１の閉じ作動を確認できない場合は、その箇所に担当者が急行して手動によって扉を閉める。
【００６５】
火災が納まったり、或いは、誤報であったりというようにして安全を確認したら、リセットボタンを押して、第２電磁ソレノイド４５（ＳＯＬ２）の群に瞬間的に通電する。すると、各扉装置Ｄ１〜Ｄｎの第２電磁ソレノイド４５（ＳＯＬ２）が作動して、両連動部材３９，４８を元の状態に戻すことにより、第２ばね３１によってラッチ爪２４は下向きに押された状態に復帰し、これにより、ラッチ爪群は係合可能状態に戻る。
【００６６】
この状態では、第１リミットスイッチＬＳ１はＯＮで第２リミットスイッチＬＳ２はＯＦＦになっているため、その信号の組み合わせにより、係合可能状態の確認を行い、係合可能状態を確認できない場合は、担当者が該当個所に急行して点検・修理する。
【００６７】
定期点検等の保守・点検に際しては、センターで作動ボタンを押すことによって、実際の緊急時と同じ状態にする。そして、各扉装置Ｄ１〜Ｄｎにおける第１電磁ソレノイド４３（ＳＯＬ１）やリミットスイッチＬＳ１，ＬＳ２が正常に作動して扉１が実際に自閉しているか否かを確認する。そして、保守・点検が終了したら、リセットボタンを押して、第２電磁ソレノイド４５（ＳＯＬ２）によって元の係合可能状態に戻す。
【００６８】
このように、火災時の緊急時にシステムが実際に作動した後、又は、保守・点検の後に、一々カバー２を外さなくともラッチ爪２４を元の状態に復帰させることができるため、保守・点検等に際しての作業が簡単になる。
【００６９】
なお、本実施形態は一つの出入口に２つの扉装置を設けた例であったが、一つの出入口に１枚の扉を備えたタイプであっても良いことは言うまでもない。また、前記した公報に開示されているように、扉を壁の肉厚の範囲に抑えた内付けタイプにも適用できることはいうまでもない。
【００７０】
≪変形例≫
ところで、第１電磁ソレノイド４３によってラッチ爪２４が解除状態になっても、物がつかえる等して扉１が閉じない場合があり、そうすると、防災機能が低下する。
【００７１】
この点については、図２に一点鎖線で示すように、支持体６等の適当な部材の適当な箇所に、扉１か完全に閉まったことを検知するためのリミットスイッチ等のセンサー５１を設け、このセンサー５１により、扉１の閉じ移動を直接に確認するように構成すれば良い。
【００７２】
(2).参考例
図１８〜図１９では参考例の概略を示しており、このうち図１８は部分正面図、図１９は図１８の平面図である。
【００７３】
この参考例では、扉１の端部に、上下方向に撓み変形可能な板ばね製のラッチ爪（係合部材）２４を設ける一方、壁に直接又は間接的に設けたブラケット５２に、扉１の開閉動によって前記ラッチ爪２４が係脱する係止部材５３を、奥行き方向にスライド自在となるようにガイド部材５４を介して設けている。
【００７４】
ブラケット５２には、第１電磁ソレノイド４３と第２電磁ソレノイド４５とを左右に並設して、第１電磁ソレノイド４３における頭４４ａ付きのロッド４４を係止部材５３に摺動自在に貫通している。また、係止部材５３には、第２電磁ソレノイド４５におけるロッド４４の前方に位置する横向き突出部５３ａを設けている。
【００７５】
この例では、第１電磁ソレノイド４３に短時間通電すると、係止部材５３が後退することによって係合解除状態（フリー状態）になり、第１電磁ソレノイド４３のロッド４４はそのあと突出する。そして、第２電磁ソレノイド４５に通電してロッド４６を突出させることにより、係止部材５３を係合可能状態に戻すことができる。
【００７６】
この例では、壁に解錠ボタン５５を設けており、通常時においては、扉の開き操作は手動で行い、扉の閉止動は自動的に行うようにしている。すなわち、扉１を開けてからボタン５５を押すと、第１電磁ソレノイド４３に通電されて解除状態となり、これにより、扉１は自動的に閉じる。
【００７７】
そして、第１電磁ソレノイド４３に通電した後は、例えば３〜１０秒程度の間隔をおいて第２電磁ソレノイド４５に自動的に通電されて、係止部材５３が係合可能状態に戻るように設定している。この例の場合、両電磁ソレノイド４３，４５は、センターからの信号によって優先的に駆動されるように設定していることはいうまでもない。
【００７８】
解錠ボタン５５のＯＮ・ＯＦＦにより、平常時において、扉１を開き状態に保持できる状態と、必ず自閉する状態とを選択できるように構成しても良い。
【００７９】
(3).第２〜第４実施形態（図20〜図22）
図２０に示す第２実施形態では、扉１をその自重で自閉させることに代えて、重り５６とワイヤー（或いはチェーン等の線状体）５７によって自閉させるようにしている。本発明は、このような自閉形式の扉装置にも適用できるのである。
【００８０】
図２１に示す第３実施形態では、ラッチ爪や解除手段、復帰手段を備えた作動ユニット５８を扉１の開閉経路の上方に複数個設けて、全開状態と半開き状態との複数の開き状態に扉１を保持できるようにしたものである。本発明はこのようなタイプの扉装置にも適用できる。
【００８１】
図２２に示すのは第４実施形態であり、この実施形態では、左右の扉１を、ワイヤー６０及びプーリ６１，６２，６３から成る連動機構によって一緒に開閉するように構成している。ワイヤー６０の両端は一方の扉１の可動レール９に固定しており（固定箇所を符号６５で示している）、他方の扉１の可動レール９は、ワイヤー６０の上段部に固定されている（この固定箇所を符号６６で示す）。
【００８２】
このように左右の扉１を連動させた場合は、ラッチ手段及び解除手段並びに復帰手段は一方の扉１のみに設ければ足りる。
【００８３】
(4).第５実施形態（図23〜図24）
図２３及び図２４では第５実施形態を示している。この実施形態は、第１実施形態と同じ構造のラッチ手段、解除手段、復帰手段から成るラッチユニット６７を備えている。そして、ラッチユニット６７におけるラッチ爪２４に、可動レール９に上方から当接する弾性体製のストッパー６８を、その上部を中心に回動するようにピンで取付けている。
【００８４】
この実施形態では、扉１を開くときには、ストッパー６８は実線で示す姿勢となり、このため、扉を任意の開き位置に保持できる。また、手動で扉１を閉じるときには、ストッパー６８は、弾性に抗して縮まり変形することにより、一点鎖線で示す姿勢に変わって、扉１は自動的に閉じる。
【００８５】
ストッパー６７は、扉１の上端に設けた左右長手の部材に当接させてもよい。また、この実施形態のように扉１を任意の開き位置に保持する場合は、図２４に示すように、ラッチユニット６７は、ストッパー６８に対して扉１又は可動レール９が常に当たるように、開口部寄りの箇所に設けるのが好ましい。
【００８６】
【００８７】
【００８８】
【００８９】
【図面の簡単な説明】
【図１】第１実施形態に係る扉装置の外観斜視図である。
【図２】一部を破断した状態での扉装置の正面図である。
【図３】（Ａ）は図２の IIIA-IIIA視断面図、（Ｂ）は図２の IIIB-IIIB視断面図である。
【図４】図２のIV−IV視断面図である。
【図５】ラッチ手段等の一部破断正面図である。
【図６】（Ａ）は図５のVIＡ−VIＡ視断面図、（Ｂ）は図５のVIＢ−VIＢ視断面図である。
【図７】図５の VII-VII視断面図である。
【図８】図７のVIII−VIII視部分図である。
【図９】ラッチ爪の作動状態を示す部分正面図である。
【図10】図５の X-X視断面図である。
【図11】図５のXI−XI視断面図である。
【図12】図５のXII-XII 視断面図である。
【図13】作用を示す図である。
【図14】作用を示す図である。
【図15】システムのブロック図である。
【図16】電磁ソレノイドとリミットスイッチとのＯＮ・ＯＦＦ関係を示す図である。
【図17】システムの働きを示すフローチャートである。
【図18】参考例の部分正面図である。
【図19】図１８の平面図である。
【図20】第２実施形態の正面図である。
【図21】第３実施形態の正面図である。
【図22】第４実施形態の正面図である。
【図23】第５実施形態の正面図である。
【図24】第５実施形態の正面図である。
【符号の説明】
１  扉
２  カバー
５  出入口
６  支持体
７  サスペンションレール装置
１２  ランナー
２１  ラッチ手段を構成する係止ローラ
２３  ケース
２４  ラッチ手段を構成するラッチ爪
２７，２８  回動規制用ストッパー
２９  第１ばね
３１  第２ばね
３２，３３  ばね受け
３６，３７  ガイド穴
３９  連動部材
４２  ガイドバー
４３  第１電磁ソレノイド
４５  第２電磁ソレノイド
４８  ブラケット
【図１】
0003644534.tif 000002
【図２】
0003644534.tif 000003
【図３】
0003644534.tif 000004
【図４】
0003644534.tif 000005
【図５】
0003644534.tif 000006
【図６】
0003644534.tif 000007
【図７】
0003644534.tif 000008
【図８】
0003644534.tif 000009
【図９】
0003644534.tif 000010
【図１０】
0003644534.tif 000011
【図１１】
0003644534.tif 000012
【図１２】
0003644534.tif 000013
【図１３】
0003644534.tif 000014
【図１４】
0003644534.tif 000015
【図１５】
0003644534.tif 000016
【図１６】
0003644534.tif 000017
【図１７】
0003644534.tif 000018
【図１８】
0003644534.tif 000019
【図１９】
0003644534.tif 000020
【図２０】
0003644534.tif 000021
【図２１】
0003644534.tif 000022
【図２２】
0003644534.tif 000023
【図２３】
0003644534.tif 000024
【図２４】
0003644534.tif 000025